(57)【要約】【課題】スイングする際の空気抵抗を低減すると共に、強度を向上できるラケットを提供する。【解決手段】ラケットは、所定の方向に沿って延伸するシャフト３と、ストリングが張設される張設空間４０を画成するように枠状に形成されてシャフト３の一端に取付けられているフレーム４と、を備え、フレーム４が、張設空間４０に面する内周面４１と、内周面４１の反対側にある外周面４２と、内周面４１と外周面４２との間に介在している２つの側面４３と、により構成され、２つの側面４３の少なくとも一部に、側面４３から突起しながら、枠状に構成されたフレーム４の延伸方向に沿って延伸する突起エリア４４が形成され、突起エリア４４の突起した先端４３１の少なくとも一部が内周面４１側に寄ってから外周面４２側に寄り、そしてまた内周面４１側に寄るように湾曲する波状に延伸している。【選択図】図２
0003201966.tif 000002
【実用新案登録請求の範囲】
【請求項１】
所定の方向に沿って延伸して棒状に形成されているシャフトと、打球面を構成するストリングが張設される張設空間を画成するように枠状に形成されて前記シャフトの一端に取付けられているフレームと、を備え、前記フレームが、前記張設空間に面する内周面と、前記内周面の反対側にある外周面と、前記内周面と前記外周面との間に介在している２つの側面と、を有するように構成されているラケットにおいて、
前記２つの側面それぞれの少なくとも一部に、該側面から突起しながら、前記枠状に形成された前記フレームの延伸方向に沿って延伸する突起エリアが形成されており、
前記突起エリアの突起した先端の少なくとも一部が、前記内周面側に寄ってから前記外周面側に寄り、そしてまた前記内周面側に寄るように湾曲する波状に延伸している、ラケット。
【請求項２】
前記フレームが有する２つの前記側面にそれぞれ前記突起エリアが形成され、各前記側面に形成された前記突起エリアは、形成されている前記側面の全面を占め、
前記突起エリアが形成されている各前記側面には、それぞれ
前記先端と、
前記先端から前記内周面まで斜めに延伸するように形成されている内側面と、
前記先端から前記外周面まで斜めに延伸するように形成されている外側面と、が形成され、前記フレームの前記延伸方向と略直交する断面において、各前記突起エリアに形成された各前記内周面及び各前記外周面が直線状になっている、請求項１に記載のラケット。
【請求項３】
前記フレームの前記シャフトに取付けられている一部の周辺において、前記突起エリアの前記先端は、対応する前記側面の中央近くで前記フレームの延伸方向に沿って延伸するように形成され、
前記フレームが有する２つの前記側面にそれぞれ形成された前記突起エリアは、前記打球面の延伸面を基準として、互いに鏡像対称に形成されている、請求項２に記載のラケット。
【考案の詳細な説明】
【技術分野】
【０００１】
本考案はラケットに関し、具体的には球技で使用するボールやシャトルを打撃するために使用するラケットに関する。
【背景技術】
【０００２】
球技、例えばテニスやバドミントンの試合において、ラケットをスイングするスピードは勝負を左右する鍵の1つであり、ラケットをスイングする際には、スイング方向に面するフレームの表面の先端が小さければ小さいほど、空気に当たる面積が小さくなるので、空気抵抗が小さくなって、スイングのスピードが速くなる。
【０００３】
そのような球技に使用するラケットは、一般に所定の方向へ延伸して手で握れるように構成されているシャフトと、ストリングを張設してボールを打撃するための打球面を構成することができるフレームと、該シャフトとフレームとの間に介在するスロートと、により構成されている。そして、図１に示されるように、該ラケットのフレーム１１の断面は、長軸がスイング方向Ａと略平行する略楕円形に形成されている。
【０００４】
しかし、フレーム１１の断面が略楕円形に形成されているラケットは、スイング方向に面するフレームの表面の先端の面積が大きいので、該先端が空気に当たる際の空気抵抗が大きいという欠点がある。
【０００５】
また、激しくラケットを使用する球技に用いるために、ラケットの機械的な強度を向上することも必要されている。
【考案の概要】
【考案が解決しようとする課題】
【０００６】
上記問題点に鑑みて、本考案は、ラケットをスイングする際の空気抵抗を低減すると共に、ラケットの強度を向上できるラケットの提供を目的とする。
【課題を解決するための手段】
【０００７】
上記目的を達成すべく、本考案は、所定の方向に沿って延伸して棒状に形成されているシャフトと、打球面を構成するストリングが張設される張設空間を画成するように枠状に形成されて前記シャフトの一端に取付けられているフレームと、を備え、前記フレームが、前記張設空間に面する内周面と、前記内周面の反対側にある外周面と、前記内周面と前記外周面との間に介在している２つの側面と、を有するように構成されているラケットにおいて、前記２つの側面それぞれの少なくとも一部に、該側面から突起しながら、枠状に構成された前記フレームの延伸方向に沿って延伸する突起エリアが形成されており、前記突起エリアの突起した先端の少なくとも一部が、前記内周面側に寄ってから前記外周面側に寄り、そしてまた前記内周面側に寄るように湾曲する波状に延伸していることを特徴とするラケットを提供する。
【考案の効果】
【０００８】
上記構成により、本考案は、フレームにおいて、２つの側面それぞれの少なくとも一部に、側面から突起しながら、枠状に構成された前記フレームの延伸方向に沿って延伸する突起エリアが形成されている。その突起エリアの先端が従来の略楕円形に形成されているラケットのフレームの空気に当たる先端より小さいので、スイングする際の空気抵抗は従来のラケットより低くなる。
【０００９】
また、突起エリアの突起する先端の少なくとも一部が内周面側に寄ってから外周面側に寄り、そしてまた内周面側に寄るように湾曲する波状に延伸していることにより、突起エリアが形成されている側面の強度が向上するので、ラケットの機械的な強度を従来のラケットより向上させることができる。
【図面の簡単な説明】
【００１０】
【図１】従来のラケットのスイング時における、フレームの周辺の空気の流れを示す断面図である。
【図２】本考案のラケットの第１の実施形態の斜視図である。
【図３】上記第１の実施形態のフレームの一部の正面図である。
【図４】上記第１の実施形態のフレームの断面図である。
【図５】上記第１の実施形態のフレームのスイング時における、フレームの周辺の空気の流れを示す断面図である。
【図６】本考案のラケットの第２の実施形態の正面図である。
【考案を実施するための形態】
【００１１】
以下では各図面を参照しながら、本考案の各実施形態について詳しく説明する。
【００１２】
図２は本考案のラケットの第１の実施形態の斜視図であり、図３は上記第１の実施形態のフレームの一部の正面図であり、図中同一符号は同一部分を示す（以下の実施の形態も同じ）。
【００１３】
本考案のラケットの第１の実施形態は、図２に示されるように、バドミントンのラケットであって、所定の方向に沿って延伸して棒状に形成されているシャフト３と、打球面を構成するストリングが張設できる張設空間４０を画成するように枠状に形成されてシャフト３の一端に取付けられているフレーム４と、を備え、フレーム４が、張設空間４０に面する内周面４１と、内周面４１の反対側にある外周面４２と、内周面４１と外周面４２との間に介在している２つの側面４３と、を有するように構成されている。
【００１４】
２つの側面４３それぞれの少なくとも一部に、側面４３から突起しながら、枠状に構成されたフレーム４の延伸方向に沿って延伸する突起エリア４４が形成されている。
【００１５】
突起エリア４４の突起した先端４３１の少なくとも一部が内周面４１側に寄ってから外周面４２側に寄り、そしてまた内周面４１側に寄るように湾曲する波状に延伸している。このように波状に形成されていることにより、側面４３は、側面４３において先端４３１よりも内側に位置する面である内側面４３２に、外周面４２側へ凹陥する複数の内凹陥部４３４と、側面４３において先端４３１よりも外側に位置する面である外側面４３３に、前記内周面４１側へ凹陥する複数の外凹陥部４３５と、が交互に並ぶように形成されている。
【００１６】
本実施形態においては、図３に示されるように、フレーム４が有する２つの側面４３にそれぞれ突起エリア４４が形成され、各側面４３に形成された突起エリア４４は、形成されている側面４３の全面を占めている。
【００１７】
図４は上記第１の実施形態のフレーム４の断面図である。
【００１８】
各前記突起エリア４４が形成されている側面４３には、図４に示されるように、それぞれ先端４３１と、先端４３１から内周面４１まで斜めに延伸するように形成されている内側面４３２と、先端４３１から外周面４２まで斜めに延伸するように形成されている外側面４３３と、が形成されている。また、フレーム４のその延伸方向と略直交する断面において、各突起エリア４４に形成された各内周面４１及び各外周面４２が直線状になっている。
【００１９】
本実施形態においては、フレーム４の延伸方向と略直交する方向における断面が、内周面４１と、外周面４２と、２つの側面４３それぞれの内側面４３２と外側面４３３とにより、略六辺形に構成されている。フレーム４のシャフト３に取付けられている一部の周辺において、突起エリア４４の先端４３１は、波状に湾曲せずに、対応の側面４３の中央近くでフレーム４の延伸方向に沿って延伸するように形成されている。また、フレーム４が有する２つの側面４３にそれぞれ形成された突起エリア４４は、打球面の延伸面を基準として、互いに鏡像対称に形成されている。
【００２０】
本考案のラケットの第２の実施形態については、上記第１の実施形態と類似する構成を有するので、ここでは詳しい説明を省略し、その相違点のみを説明する。
【００２１】
図６は本考案のラケットの第２の実施形態の正面図である。
【００２２】
本考案のラケットの第２の実施形態は、図６に示されるように、テニスのラケットであって、所定の方向に沿って延伸して棒状に形成されているシャフト３と、打球面を構成するストリングが張設できる張設空間４０を画成するように枠状に形成されているフレーム４と、シャフト３とフレーム４との間に介在するスロート５と、を備え、フレーム４が、張設空間４０に面する内周面４１と、内周面４１の反対側にある外周面４２と、内周面４１と外周面４２との間に介在している２つの側面４３と、を有するように構成されている。
【００２３】
フレーム４のスロート５に接続されている一部において、突起エリア４４の先端４３１は、波状に湾曲せずに、対応の側面４３の中央近くでフレーム４の延伸方向に沿って延伸するように形成されている。
【００２４】
図５は上記第１の実施形態のフレームのスイング時における、フレーム４の周辺の空気の流れを示す断面図である。
【００２５】
上記の構成によれば、本考案のラケットをスイング方向１００へスイングする際に、フレーム４の側面４３に形成された突起エリア４４の先端４３１が空気に当たる。本考案のラケットの先端４３１の面積が従来の略楕円形に形成されているラケットのフレームの空気に当たる先端の面積より小さいので、スイングする際の空気抵抗は従来のラケットより低くなる。
【００２６】
また、突起エリア４４の突起する先端４３１の少なくとも一部が内周面４１側に寄ってから外周面４２側に寄り、そしてまた内周面４１側に寄るように湾曲する波状に延伸していることにより、突起エリア４４が形成されている箇所におけるフレーム４の強度が向上するので、ラケットの機械的な強度を従来のラケットより向上させることができる。
【００２７】
本考案は上記各実施形態に限定されず、本考案の主旨に反しない範囲内において様々な変更を加えることが可能である。例えばフレーム４が有する２つの側面４３にそれぞれ形成された突起エリア４４は、鏡像不対称に形成されることもでき、また、すべての突起エリア４４を波状に形成することもできる。即ち、本考案の目的の範囲を逸脱しない限りにおいて適宜変更して実施することが可能である。
【産業上の利用可能性】
【００２８】
本考案のラケットは、球技で使用するボールやシャトルを打撃するために使用するラケットとして利用でき、また、ラケットの風に当たる面に突起エリアが形成されていることにより、ラケットのスイング時における空気抵抗が低減され、且つ、一部の突起エリアが波上に形成されていることにより、ラケットの機械的な強度が向上されているので、激しくラケットを使用する球技に特に好適である。
【符号の説明】
【００２９】
３  シャフト
４０  張設空間
４  フレーム
４１  内周面
４２  外周面
４３  側面
４４  突起エリア
４３１  先端
４３２  内側面
４３３  外側面
４３４  内凹陥部
４３５  外凹陥部
５  スロート
【図１】
0003201966.tif 000003
【図２】
0003201966.tif 000004
【図３】
0003201966.tif 000005
【図４】
0003201966.tif 000006
【図５】
0003201966.tif 000007
【図６】
0003201966.tif 000008